【手続補正書】
【提出日】令和3年8月25日(2021.8.25)
【手続補正１】
【補正対象書類名】特許請求の範囲
【補正対象項目名】全文
【補正方法】変更
【補正の内容】
【特許請求の範囲】
【請求項１】
第１状態と第２状態とを含む複数の状態を備え、該第２状態において遊技者に有利な有利状態に制御可能な遊技機であって、
有利度合いの異なる複数の設定値の中から１の設定値を決定可能な設定値決定手段と、
前記第２状態において遊技価値の増加量が所定量となったときに、前記第２状態を終了させて前記第１状態に制御する第１規制手段と、
前記有利状態に制御される権利を付与可能な権利付与手段と、
前記第２状態において遊技価値の増加量が前記所定量よりも少ない特別量となったとき、以後の前記第２状態において前記権利付与手段による権利の付与が抑制される抑制状態に制御する第２規制手段と、を備え、
前記抑制状態ではないときに当籤した場合に、前記権利付与手段により権利が付与されることが確定する確定役と、前記権利付与手段により権利が付与されることが確定しない通常役とがあり、
前記確定役に当籤したとき、所定の態様で停止操作が行われた場合には特別の図柄組合せが表示可能であり、前記所定の態様とは異なる特定の態様で停止操作が行われた場合には前記特別の図柄組合せは表示されず、所定の図柄組合せが表示されるように構成され、
前記所定の図柄組合せは、前記通常役に当籤した場合にも表示され得る図柄組合せであり、
前記抑制状態で前記確定役に当籤したときには、停止操作の手順として前記特定の態様を報知する特殊報知手段と、
前記抑制状態ではないときに、前記特別の図柄組合せが表示された場合には特別報知を行うことを可能とし、前記抑制状態で前記特別の図柄組合せが表示された場合には前記特別報知を行うことを可能としない特別報知手段と、をさらに備え、
前記特殊報知手段は、前記抑制状態で前記通常役に当籤したときにも同様の報知を行うことが可能であり、
前記第２状態において遊技価値の増加量が前記特別量となった場合は、以後の前記第２状態中又は前記第２状態が終了するときの少なくともいずれか一方において、前記設定値決定手段により決定された１の設定値を示唆する演出を実行可能である
ことを特徴とする遊技機。
【請求項２】
前記第２状態において遊技価値の増加量が前記特別量となったとき、以後の前記第２状態では遊技価値の増加量が前記所定量となるまで前記有利状態に制御することを特徴とする請求項１に記載の遊技機。
【請求項３】
前記特別報知手段は、前記確定役に当籤したとき、前記特殊報知手段により前記特定の態様が報知されていなかった場合であって、前記特別の図柄組合せが表示された場合には前記特別報知を行い、前記特殊報知手段により前記特定の態様が報知されていた場合であって、前記特別の図柄組合せが表示された場合には前記特別報知を行わないことを特徴とする請求項１又は請求項２に記載の遊技機。
【手続補正２】
【補正対象書類名】明細書
【補正対象項目名】０００７
【補正方法】変更
【補正の内容】
【０００７】
ところで、このような遊技機では、射幸性が過度に高くなってしまうことは抑制できるものの、有利状態がその途中で突然終了してしまうことから、遊技者が不信感や喪失感などを抱き、遊技の興趣を低下させてしまう場合があるという問題があった。
【手続補正３】
【補正対象書類名】明細書
【補正対象項目名】０００８
【補正方法】変更
【補正の内容】
【０００８】
本発明は、このような点に鑑みてなされたものであり、射幸性が過度に高くなってしまうことを抑制しつつも、遊技者の感情にも配慮した遊技機を提供することを目的とする。
【手続補正４】
【補正対象書類名】明細書
【補正対象項目名】０００９
【補正方法】変更
【補正の内容】
【０００９】
本発明に係る遊技機は、
第１状態（例えば、非有利区間）と第２状態（例えば、有利区間）とを含む複数の状態を備え、該第２状態において遊技者に有利な有利状態（例えば、増加区間）に制御可能な遊技機であって、
有利度合いの異なる複数の設定値の中から１の設定値を決定可能な設定値決定手段（例えば、設定変更確認処理を行うメインＣＰＵ１０１）と、
前記第２状態において遊技価値の増加量が所定量（例えば、２４００枚）となったときに、前記第２状態を終了させて前記第１状態に制御する第１規制手段（例えば、通常リミット処理（払出数）を行うメインＣＰＵ１０１）と、
前記有利状態に制御される権利（例えば、１Ｇ連ストック）を付与可能な権利付与手段（例えば、１Ｇ連抽籤を行うメインＣＰＵ１０１）と、
前記第２状態において遊技価値の増加量が前記所定量よりも少ない特別量（例えば、１８５１枚）となったとき、以後の前記第２状態において前記権利付与手段による権利の付与が抑制される抑制状態に制御する第２規制手段（例えば、準リミット処理（払出数）を行うメインＣＰＵ１０１）と、を備え、
前記抑制状態ではないときに当籤した場合に、前記権利付与手段により権利が付与されることが確定する確定役（例えば、「確定チェリー」）と、前記権利付与手段により権利が付与されることが確定しない通常役（例えば、「リプレイ」）とがあり、
前記確定役に当籤したとき、所定の態様（例えば、右第１停止以外）で停止操作が行われた場合には特別の図柄組合せ（例えば、「確定チェリーリプ」）が表示可能であり、前記所定の態様とは異なる特定の態様（例えば、右第１停止）で停止操作が行われた場合には前記特別の図柄組合せは表示されず、所定の図柄組合せ（例えば、「中段リプ」）が表示されるように構成され、
前記所定の図柄組合せは、前記通常役に当籤した場合にも表示され得る図柄組合せであり、
前記抑制状態で前記確定役に当籤したときには、停止操作の手順として前記特定の態様を報知する特殊報知手段（例えば、表示装置１１に特殊報知を表示させるサブＣＰＵ２０１）と、
前記抑制状態ではないときに、前記特別の図柄組合せが表示された場合には特別報知（例えば、特別入賞音の出力）を行うことを可能とし、前記抑制状態で前記特別の図柄組合せが表示された場合には前記特別報知を行うことを可能としない特別報知手段（例えば、スピーカ群８４から特別入賞音を出力させるサブＣＰＵ２０１）と、をさらに備え、
前記特殊報知手段は、前記抑制状態で前記通常役に当籤したときにも同様の報知を行うことが可能であり、
前記第２状態において遊技価値の増加量が前記特別量となった場合は、以後の前記第２状態中又は前記第２状態が終了するときの少なくともいずれか一方において、前記設定値決定手段により決定された１の設定値を示唆する演出（例えば、設定値示唆演出）を実行可能である
構成を有する。
【手続補正５】
【補正対象書類名】明細書
【補正対象項目名】００１０
【補正方法】変更
【補正の内容】
【００１０】
なお、本発明に係る遊技機は、
前記第２状態において遊技価値の増加量が前記特別量となったとき、以後の前記第２状態では遊技価値の増加量が前記所定量となるまで前記有利状態に制御する
構成としてもよい。
【手続補正６】
【補正対象書類名】明細書
【補正対象項目名】００１１
【補正方法】変更
【補正の内容】
【００１１】
また、本発明に係る遊技機において、
前記特別報知手段は、前記確定役に当籤したとき、前記特殊報知手段により前記特定の態様が報知されていなかった場合であって、前記特別の図柄組合せが表示された場合には前記特別報知を行い、前記特殊報知手段により前記特定の態様が報知されていた場合であって、前記特別の図柄組合せが表示された場合には前記特別報知を行わない構成としてもよい。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
上記構成の遊技機によれば、射幸性が過度に高くなってしまうことを抑制しつつも、遊技者の感情にも配慮した遊技機を提供することができる。